(57)【要約】【課題】本考案は、屋根の軒下側に取り付けられる軒樋に雪解け水が凍結して氷柱を形成する既存の軒樋に代えて、屋根の軒先を覆い包むように改良施工ができるつらら防止機能付雨樋を得ることを目的とする。【解決手段】本考案のつらら防止機能付雨樋は、鋼板を一体に折り曲げて形成した屋根折曲げ板片１と、該屋根折曲げ板片１に一体に連続して折り曲げられた屋根カバー２と、該屋根カバー２端から垂直に立ち上がり、複数の開口された温風吹出口３を有する垂直カバー４と、該垂直カバー４端から屋根と平行に軒先側を覆う屋根カバー５と、該屋根カバー５端から垂直に下がり、軒先の正面側を覆う垂直壁面６と、該垂直壁面６端から家屋側へ水平に連続して折り曲げられた底面７と、該底面７端から斜め上方に連続して折り曲げられた樋側壁面８と、該樋側壁面８端から下方に一体に連続して折り曲げられた樋折曲げ板片９とから構成されるものである。【選択図】図１
0003140835.tif 000002
【実用新案登録請求の範囲】
【請求項１】
鋼板を一体に折り曲げて形成し、屋根のトタン折曲げ部分に挿入される屋根折曲げ板片と、該屋根折曲げ板片に一体に連続して折り曲げられ、屋根の軒先側を覆う屋根カバーと、該屋根カバー端から垂直に立ち上がり、複数の開口された温風吹出口を有する垂直カバーと、該垂直カバー端から屋根と平行に軒先を覆う屋根カバーと、該屋根カバー端から垂直に下がり、軒先の正面側を覆う垂直壁面と、該垂直壁面端から家屋側へ水平に連続して折り曲げられた底面と、該底面端から斜め上方に連続して折り曲げられた樋側壁面と、該樋側壁面端から下方に一体に連続して折り曲げられた樋折曲げ板片とから構成されることを特徴とするつらら防止機能付雨樋。
【請求項２】
前記樋カバー、垂直壁面、底面および樋側壁面により略Ｕ字状の雨樋と温風通路の送風空間が形成され、前記底面にはドレンパイプを介して温風を供給するドレンパイプヒーターが接続されることを特徴とする請求項１記載のつらら防止機能付雨樋。
【考案の詳細な説明】
【技術分野】
【０００１】
本考案は、屋根の軒先に取り付けられる雨樋に関し、特に雪解け水が凍結して雨樋に氷柱を形成しないように屋根の軒先を覆い包むようにしたつらら防止機能付雨樋に関する。
【背景技術】
【０００２】
従来、屋根の軒先に軒樋が取り付けられるが、雪国では軒先に取り付けられる軒樋が屋根を滑り落ちる雪により破壊されることがないように軒下側に取り付けられる。
軒樋が軒下側に取り付けられるため、屋根からの落下した雨水を下方の軒樋に集水するようになっている。
この構造であると、冬期に雪解け水が凍って軒樋を越えて軒先から氷柱が垂れ下がって落下事故原因となり危険であった。
これを防止するため、屋根の軒先を覆い包むように形成された折板屋根用軒樋が公知となっている（特許文献１を参照）。
上記公知技術は、桁行き方向へ連続する水路空間を確保すると共に折板屋根の軒先を覆い包むべく形成された本体部と、側方から折板屋根の軒先を挿入すべく形成されると共に前記水路空間に連通した取付開口部とを備え、前記取付開口部は、折板屋根の上面に止着される開口上縁部と、同折板屋根の下面に止着される開口下縁部とを有し、前記開口上縁部には上方へ立ち上がると共に桁行き方向へわたる雪止部が形成されている折板屋根用軒樋である。
【０００３】
またその他に、本出願人が開発した発明のつらら防止軒樋が公知となっている（特許文献２を参照）。
本出願人の上記公知技術は、折板屋根の軒先から突出するように屋根傾斜方向に沿って且つ桁行き方向に所定間隔で折板山部上に固定された所定長さのＬ字状のアングルと、該Ｌ字状のアングルの突出先端に桁行き方向に沿って排水用長樋となるように固定された略Ｕ字状の鋼板カバーと、該鋼板カバーと家屋壁面との間の折板屋根の軒下裏側を覆って断熱する上げ裏用断熱材と、前記Ｌ字状のアングル間及び前記鋼板カバーの上部開口を桁行き方向に沿って被う屋根カバーとから構成され、前記鋼板カバーの底部内面には樋カバーを配置して底部との間に空間を形成し、ドレンパイプヒーターの暖気を前記鋼板カバー全体に行き渡らせるつらら防止軒樋である。
【特許文献１】特開２００２‐２２７３５５号公報
【特許文献２】特許第３９７２２１５号公報
【考案の開示】
【考案が解決しようとする課題】
【０００４】
本考案は、屋根の軒下側に取り付けられる軒樋に雪解け水が凍結して氷柱を形成する既存の軒樋に代えて、屋根の軒先を覆い包むように改良施工ができるつらら防止機能付雨樋を得ることを目的とする。
【課題を解決するための手段】
【０００５】
本考案のつらら防止機能付雨樋は、鋼板を一体に折り曲げて形成し、屋根のトタン折曲げ部分に挿入される屋根折曲げ板片と、該屋根折曲げ板片に一体に連続して折り曲げられ、屋根の軒先側を覆う屋根カバーと、該屋根カバー端から垂直に立ち上がり、複数の開口された温風吹出口を有する垂直カバーと、該垂直カバー端から屋根と平行に軒先を覆う屋根カバーと、該屋根カバー端から垂直に下がり、軒先の正面側を覆う垂直壁面と、該垂直壁面端から家屋側へ水平に連続して折り曲げられた底面と、該底面端から斜め上方に連続して折り曲げられた樋側壁面と、該樋側壁面端から下方に一体に連続して折り曲げられた樋折曲げ板片とから構成されるものである。
さらに、前記樋カバー、垂直壁面、底面および樋側壁面により略Ｕ字状の雨樋と温風通路の送風空間が形成され、前記底面にはドレンパイプを介して温風を供給するドレンパイプヒーターが接続されるものである。
【考案の効果】
【０００６】
本考案のつらら防止機能付雨樋は、屋根の軒先を覆い包むようにしたため、ドレンパイプヒーターからの温風を有効に利用して、屋根からドレンパイプヒーターに至るまでの水の流れを連続的にし、氷結により水が止まることがないようにして、屋根の軒先に氷柱が形成されるのを防止することができる。
【考案を実施するための最良の形態】
【０００７】
本考案のつらら防止機能付雨樋の一実施例を図面に基づいて、以下に説明する。
本考案のつらら防止機能付雨樋は、鋼板を一体に折り曲げて形成し、図１の正面側からの全体斜視図及び図２の背面側からの全体斜視図に示すように、屋根のトタン折曲げ部分に挿入される屋根折曲げ板片１と、該屋根折曲げ板片１に一体に連続して折り曲げられ、屋根の軒先側を覆う屋根カバー２と、該屋根カバー２端から垂直に立ち上がり、複数の開口された温風吹出口３を有する垂直カバー４と、該垂直カバー４端から屋根と平行に軒先側を覆う屋根カバー５と、該屋根カバー５端から垂直に下がり、軒先の正面側を覆う垂直壁面６と、該垂直壁面６端から家屋側へ水平に連続して折り曲げられた底面７と、該底面７端から斜め上方に連続して折り曲げられた樋側壁面８と、該樋側壁面８端から下方に一体に連続して折り曲げられた樋折曲げ板片９とから構成される。
また、前記屋根カバー５、垂直壁面６、底面７および樋側壁面８により略Ｕ字状の雨樋と温風通路の送風空間が形成され、前記底面７にはドレンパイプ１０を介して温風を供給するドレンパイプヒーター１１が接続される。
【０００８】
次に、本考案のつらら防止機能付雨樋の作用について、以下に図面に基づいて説明する。
先ず、最初に家屋壁面に取付アングル部材１２を取り付ける。なお、改築の場合には屋根の軒先下部に設けた既存の軒樋を撤去した後、取付アングル部材１２を取り付ける。
図３に示すように、本考案のつらら防止機能付雨樋は、屋根のトタン折曲げ部分に挿入される屋根折曲げ板片１をトタン折曲げ部分に挿入し、前記取付アングル部材１２に樋折曲げ板片９を取付ける。
そして、屋根の軒先を桁行き方向に沿って樋カバー５、垂直壁面６、底面７、樋側壁面８で被い、ボルト等により前記樋折曲げ板片９と前記取付アングル部材１２とを一体に固定する。
したがって、屋根の軒先には樋カバー５、垂直壁面６、底面７、樋側壁面８により形成された略Ｕ字状の雨樋と温風通路の送風空間が形成される。
寒冷時には、前記ドレンパイプ１０に接続されたドレンパイプヒーター１１からの暖気が、前記ドレンパイプ１０を通り、樋カバー５、垂直壁面６、底面７、樋側壁面８により形成された温風通路の送風空間を通って、垂直カバー４の温風吹出口３から自然排気される。
そのため、前記温風通路の送風空間全体には暖気が充満して、屋根の軒先全体を暖めることができる。
このようにして暖めることにより、屋根からドレンパイプヒーター１１に至るまでの水の流れを連続的にし、氷結により水が止まることがないようにして、屋根の軒先に氷柱が形成されるのを防止することができる。
【図面の簡単な説明】
【０００９】
【図１】本考案のつらら防止機能付雨樋の正面側からの全体斜視図である。
【図２】本考案のつらら防止機能付雨樋の背面側からの全体斜視図である。
【図３】本考案のつらら防止機能付雨樋の概略断面図である。
【符号の説明】
【００１０】
１  屋根折曲げ板片
２  屋根カバー
３  温風吹出口
４  垂直カバー
５  樋カバー
６  垂直壁面
７  底面
８  樋側壁面
９  樋折曲げ板片
１０  ドレンパイプ
１１  ドレンパイプヒーター
１２  取付アングル部材
【図１】
0003140835.tif 000003
【図２】
0003140835.tif 000004
【図３】
0003140835.tif 000005